(57)【要約】【課題】個人指紋・手の掌静脈、血管、顔虹彩日時数・暗証数、生体認証・複数生体登録ＩＣ１タッチ。カード顔画像転写付身分証明２タッチ超厳密出入乗降通過。代理者ＩＣ登録。現金と外国通貨数値変換。名称入領収証発行。病歴ＩＣ画像登録。凹凸装置と手話画像ＩＤ、在宅ショップＩＰ無人店舗・倉庫画面２タッチ。見学鑑賞・乗車入場券世界開催出入口２タッチ通過。うつ病記憶弱者通帳実印、住民票養子入籍。２タッチカード保管庫。持出収納２タッチ登録外他人タッチ拒否。初期会員口座蓄積、物件購入保障保険改革。電子錠所有者２タッチ。カード紛失取引拒否。登録保管庫２タッチ提供する。【解決手段】パソコンキーボード面とマウス２タッチ。進学２・４年賃料割引無料保障、住宅購入金。入居賃料蓄積、投資積蓄額、外国人蓄積額。在宅パソコン電話・携帯電話ＩＰ通信。病弱スポーツ事故障害寝たきり見物観賞通信。重要ＩＤカード個人保管庫開閉を提供する。【選択図】  図１
2007128488.tif 000002
【特許請求の範囲】
【請求項１】
個人指紋は手の甲紋・手の掌紋・音声紋の画像認証又は指・手の甲・手の掌の静脈・血管・血流の画像認証とする生体認証は光学・感熱・遠赤外線の画像認証登録ＩＣチップに格納する又は複数生体認証登録ＩＣチップにする。顔画像・虹彩・自筆の画像認証登録ＩＣチップと暗証番号・暗証記号・住所氏名・地区名・日本標準年月日時分秒登録ＩＣチップにする。所有者ショップカード登録ＩＣチップの１タッチと生体画像は指紋・手の甲紋・手の掌紋・音声紋の画像認証、指・手の甲・手の掌の静脈・血管・血流選択の暗証番号認証登録ＩＣチップと非接触ショップカード所有者独立１タッチの認証２タッチにするセキュリティとプライバシーを守る構成、認証相互間を一致照合に電波通信情報回路にする、ショップの精算数値端末は精算数値にする、ポイント点数値端末はポイント点数値にする、電波通信情報回路は該電波情報にする、を介して金銭数値と読取書換記録再生ＩＣチップの生体複数画像認証登録ＩＣチップ格納する非接触ショップカード所有者２タッチは該ショップ２タッチにする。
前記該ショップ２タッチリーダライタに認証記録情報を格納する、この情報を該ショップ２タッチを介して該ショップ２タッチタッチ瞬時相互間を一致照合する前記電波情報を備え照合が成立する、複数認証相互間を一致照合の表面位に顔画像転写貼付する、身分証明は出入口証明と契約書・取引証明に該ショップ２タッチと非接触ショップカード１タッチ接触登録した所有者認証の該ショップ２タッチ相互間を一致照合リーダライタと組込みは電波通信回路の手段による認証記録保存ショップカード新規作成と現金を数値変換する、残数値不足チャージと金銭残数値表示する該ショップ２タッチ発行券売機端末は該券売端末にする。
転出入とき旧住所確認と新住所登録する重複防止セキュリティ、前記券売端末に整理番号認証記録保存から読取相互間を一致照合のセキュリティは所有者間違訂正、数字文章改ざん漏洩防止に該ショップ２タッチセキュリティ手段と他人タッチ認証相互間を不一致照合は操作停止とレジスタ器端末は該レジ端末にする。
前記レジ端末パネル消灯と該ショップ２タッチセキュリティシステムと非接触ショップカードに顔画像転写貼付は出入口と入場口と乗降口通過する又は契約書・申請書・更新・転出入又は多種類の書類に用いる、ショップ顧客は該賃借相互保障会は該賃借相互にする。
【請求項２】
ショップカード所有者と店員カード所有者と店主カード所有者と凹凸カード所有者又は不都合とき所有者から使用許可された代理人カード所有者も該ショップ２タッチを用いて該券売端末利用する、貨幣口に現金入れ該ショップ２タッチ金額数値と項目を該券売端末はパネル読取操作金額数値数表示され、読取書書換する、該ショップ２タッチ現金額又は振込額を変換金額で読取書換は該電波情報にする、を介したセキュリティシステム。
【請求項３】
ショップカード数値残額減チャージ精算は該券売端末の通信回路を介して紙幣入口/受取口、硬貨口/受取口を備える、通貨判読と識別を読取書換記録再生端末は該読取端末にする。真偽判別返還口にする、集計記録はパネル表示確認視知できる、現金や振込額集計管理の蓄積は前記読取端末において金額間違い訂正する、ショップカード内容管理と凹凸カードパネルの手段と該券売端末の通貨残金、現金蓄積額管理と運用構成の特徴あるシステム。
【請求項４】
該ショップ２タッチ前記レジ端末で通貨出しと精算待ち混雑を解消通過は店員該ショップ２タッチ清潔とつり銭ミスない構成システム。
【請求項５】
金銭額とポイント点数値書換ＩＣチップショップカード格納する、ショップカードスライド接触リーダライタの手段と、該ショップ２タッチ相互間を一致の照合する、ショップカード所有者生体認証をリーダライタ接触、即所有者パネル２タッチ間のみ相互間を一致照合する、ＩＣチップとＩＣタグは各独自該電波情報と他部機能のシステムと併用はしないものとする、独立回路ＩＣチップアンテナ通信する、１枚の非接触カードに４回路の多機能とＩＣタグアンテナ通信する３回路を備えに認証登録情報相互間を一致照合成立該電波情報は該電波情報照合にする、する手段を特徴ある該ショップ２タッチ相互間を前記電波情報照合するセキュリティシステム。  
【請求項６】
ショップカード該読取端末は購入額書換変換と該レジ端末書換変換する又は購入額に対応ポイント点数値読取差引残額を売上額に累積加算の蓄積記録は該読取端末を備え、該レジ端末は一日複数のショップカード売上額は該読取端末とショップカード所有者はショップ額を該読取端末と該レジ端末に変換後、残額ポイント点数値を該レジ端末から変換加算演算する該ショップ２タッチ残金額は該読取端末に保存する、該ショップ２タッチ購入物品と数量と価格又は蓄積残額確認の明細書選択対応する特徴ある該ショップ２タッチと電波情報照合システム。
【請求項７】
該ショップ２タッチと凹凸カードは該ショップ２タッチ不都合ときは代理人カード所有者の現金と振込ポイント点数値のカード記録情報と該券売端末と該読取端末と記録保存する該読取端末の構成と現金又は振込みとポイント点数値に保存する、一定期間定め置き、その期間内を有効とする、有効期間過ぎは自動消滅機能にする、該読取端末の保存内容有効と内容開示は、所有者了承が条件と所有者と個人プラィバシ立会い該ショップ２タッチの特徴あるシステム。
【請求項８】
該レジ端末所有者と仕入や取引業者間の演算勘定は該読取端末業務をＩＰパソコン通信の該電波情報とする、パソコン互換性通貨数値流通は巨額現金革命、国内と外国安全の該ショップ２タッチと該電波情報セキュリティシステム。
【請求項９】
該レジ端末の操作自動システムにおいて、該ショップ２タッチと該レジ端末接触は該電波情報を介して、ショップ物品精算ライン並置と物品価額を検知読出す該読取端末と書換精算を用いて購入額を該レジ端末に売上蓄積されて該読取端末とポイント点数値の電波と通信回路を備えてショップカードに読取書換加算するポイント点数値を蓄積は該読取端末と引出額計算する、内訳と項目別に該読取端末を併用する特徴ある該電波情報システム。
【請求項１０】
リーダライタ付該レジ端末売上蓄積は該読取端末を介してショップカード額とポイント点数値差引残額を店主ショップカード読取書換と該レジ端末と店主該ショップ２タッチ残額数値を読取書き換と該券売端末の現金蓄積額や振込蓄積数値は該読取端末の電波と通信回路を具備して、店主該ショップ２タッチ売上額を読取書換端末引出し該読取端末の該電波情報照合を手段とする特徴ある該電波情報システム。
【請求項１１】
運営費や現金仕入と借用の限度額又は現金蓄積残額端末と振込残額を該読取端末から均等少額借用する、借用金返済は現金蓄積を該読取端末に月返済額分とポイント点数値をポイント点数値は該読取端末振込みポイント蓄積であって該読取端末に多数のポイントを纏め一つのＩＣチップ格納は該電波情報照合する特徴ある該ショップ２タッチシステム。
【請求項１２】
ポイント点数値と蓄積数は該読取端末が商店街行事運営費又はショップカードと該券売端末の運営演算勘定を該読取端末管理費用に責任当番の店主該ショップ２タッチ該券売端末、所有者責任当番カード読取書換引出変換入力に具備する、ポイント点数蓄積を該読取端末引出す特徴ある該電波情報システム。
【請求項１３】
該ショップカードに店名と購入品内訳読取書換端末入力においてショップカードに入力資料をパソコン家計簿端末又は該読取端末又は経理勘定を該読取端末複写され年度別と月別と項目別の区別分けデータ表選別家計簿は該読取端末と経理勘定該読取端末ショップカード読取書き換複写改革を具備は該電波情報照合する特徴あるシステム。
【請求項１４】
該ショップ２タッチはタンスヘソクリ預金期間定め現金又は該券売端末を介してショップカード現金額加算端末を書換えるシステム、ショップカード入力額パネル表示確認、訂正操作する、現金は該券売端末と現金蓄積を該読取端末において該ショップ２タッチで毎月ポイント点数値を読取書換加算を具備することが自宅の現金と通帳と金融カード事故被害遭わない、金品強奪犯出さない特徴ある該電波情報照合セキュリティシステム。
【請求項１５】
ショップカード読取書換手段と、ポイント点数値において現金蓄積は該読取端末が加算読取書換行う、運用該ショップ２タッチ借用又は店主該ショップ２タッチ借用事業運転資金・店舗改装資金を限度額又は蓄積残額、該読取端末は限度額返済期限に毎月ポイント点数値を該読取端末、現金蓄積を具備該電波情報照合して、該読取端末はポイント点数蓄積を用いて該読取端末書換と売上金差引く特徴ある電波通信情報システム。
【請求項１６】
該ショップ２タッチを介して借用金は、該券売端末に賃借主の前年給与所得と源泉徴収票添付と住所氏名に借用額と月返済額と借用用紙記入は電波回路を介してショップカード登録地区、該券売端末に挿入、借用条項基準合点は、限度額ポイント点数値において返済額と月日、画面表示を印刷、現金又はショップカード入力数値と該読取端末手段を用いて、生活の借用できる前記賃借の特徴ある電波通信情報の手段に提供する。
【請求項１７】
該賃借端末会員に転居先利用困難とき、ショップカード蓄積該読取端末合計額を該券売端末や該レジ端末操作解決する。該レジ端末不正操作差引の不正取引は該レジ端末作動停止、処理完了スタートする装備ある該電波情報システム。
【請求項１８】
給与を金融振込ＡＴＭにショップカード挿入該ショップ２タッチの給与振込額引出読取書換とショップカード変換を備え入力額をパネル表示、該券売端末の給与振込額から現金額読取書換変換する該電波情報は給与振込演算情報額を蓄積は該読取端末に加算する該ショップ２タッチと該電波情報照合システム。
【請求項１９】
タンス預金の資金運用は、該ショップ２タッチタンスヘソクリ預金、天井・壁・床下・庭埋隠し数十年過ぎ忘却、売却転居損する、ポイント点数値増続く蓄積費用、金額と期間は毎月ポイント点数値と読取書換加算増手段ある該ショップ２タッチと該電波情報照合セキュリティシステム。
【請求項２０】
該券売端末に現金入金、偽造は通貨真偽磁気鑑別機を内蔵する、通貨偽造の不正犯出さない、被害受けない特徴ある該電波情報照合セキュリティシステム。
【請求項２１】
ショップカード通貨受渡し動作不潔やバイ菌伝染ない衛生的健全取引、新札二枚重ね又はレジ数値入力誤作動間違い、勘違い、酔客二重払い、上乗せないシステム、万引逮捕出さない現金代行する特徴あるシステム。
【請求項２２】
万引・窃盗・食逃げ犯出さない社会に該ショップ２タッチの手段を２４時間業務営業は、夕方又は夜間から早朝、曜日の時間調整とリーダライタ該ショップ２タッチドア開き通過する又はタクシー乗車リーダライタ該ショップ２タッチドア開閉、目的地停車該ショップ２タッチ乗車料金会計該読取書換残数値はドア開き降車。料飲食店も同方式出入口リーダライタに該ショップ２タッチ出入口通過する、不払料金踏倒し・無銭飲食の不正通過を介して該電波情報照合の停止する該ショップ２タッチの特徴あるセキュリティシステム。
【請求項２３】
該レジスタに店員該ショップ２タッチ勤怠は該読取端末管理財務経理勘定、人事労務、該読取端末管理パソコン接続記録再生を該ショップ２タッチと該電波情報照合する方法を提供する。
【請求項２４】
、
該レジスタに物品購入・料飲食・大量仕入の領収書受取者個人又は会社の名称端末を該ショップ２タッチ・ＵＳＢ・ＳＤ類カード・携帯電話機に各読取再生ＩＣタグ格納と再生端末に記憶再生を転写発行する。名称を電子レーザー・プリンタ・スキャナー感熱複写画像読取転写又は光学転写する、該レジスタに個人又は会社の名称転写を該ショップ２タッチ・ＵＳＢ・ＳＤ類カード・携帯電話機にＩＣタグを具備することで、リーダライタに該ショップ２タッチ接触は該電波情報を介して領収書転写発行する、多種対応の互換性機能を領収書受取者、名称記入手段は国内・国外に具備する特徴は特に外国人サイン記入戸惑いある又は障害者には最高便利する該ショップ２タッチを特徴とする。行政と民間の記入又はサイン者名称を注文書、発注書、契約書、申請手続書、送状・届出提出と許認可、賃借契約書・住民票・印鑑証明、土地建物登記謄本・車検更新・輸出入申請書類の個人名称又は会社名称と住所〒・氏名・電話番号・ＦＡＸ番号・携帯電話番号又はＥメール・ＵＲＬ又はＩＰ電話番号転写する。職場は会社名称・住所〒・代表電話番号・直接電話番号・ＦＡＸ電話番号・携帯電話番号又はＥメール・ＵＲＬ又はＩＰ電話番号から行政手続書類、該ショップ２タッチ読取再生ＩＣタグ転写する、縦横拡大縮小に対応転写する電波通信回路を具備する、他人転写拒否は該電波情報照合する特徴ある該ショップ２タッチセキュリティシステム。
【請求項２５】
該ショップ２タッチ・ＵＳＢ・ＳＤ類カード・携帯電話機にIＣタグ端末変換用い、経理は多種カードをパソコン接続、リーダライタ接触と領収書資料を自動整理配列データグラフ表する、領収書手書き誤字・バーコード数値からパソコン数字打ち間違いない合理性ある該読取端末で領収書管理と業務緩和する該電波情報照合システム。
【請求項２６】
該レジ端末の領収書受取者の名称記入該ショップ２タッチＩＣタグ格納端末転写又は複写する無線ＩＰ又は通信間パソコン、携帯電話通信、ショップとき体調や気候、混雑遠方荷物状態や鮮度保持、消費と合理性高い生活ＩＰ通信網介したパソコン画像注文申込み該ショップ２タッチとショップ物品宅配解決する該電波通信情報照合を具備したシステム。
【請求項２７】
極薄と消電画面ショップカード貼付、ノート帳・手帳顧客名簿表、年恒例書換端末と削除繰返し不要、会社名と氏名、〒住所、電話番号、ＦＡＸ番号、携帯電話番号、Ｅメール・ＵＲＬ、年月日時分端末を転写、名簿画面拡大縮小と各頁該ショップ２タッチ収納のＩＣタグ読取再生端末と新規追加を中間入力から業種別自在とパソコン接続はデータ組換自在を該ショップ２タッチ情報漏洩負荷の特徴を具備した該電波情報セステム。
【請求項２８】
ＩＰ高速通信のブロードバンド・インターネット在宅パソコンショップ、パソコン画面で商品選択、単価と数量、配送日時分確認と店内パソコンショップＩＰ、パソコン画面スクロール自在、店内歩く感覚操作から視聴知の商品触れ損傷なく商品内容情報選択買物ＩＣタグ備えた特徴ある該ショップ２タッチと電波情報照合システム。
【請求項２９】
商品内容と調理その他保存方法・商品レシート該読取端末から支払入力、ＩＰパソコン商店主のショップカードに書込演算、ショップカード所有者ショップ額にポイント点数値に書込ＩＰショップを備えた該ショップ２タッチと電波情報照合システム。
【請求項３０】
ＩＰ通信パソコンショップは既往症病弱、荷物重い、軽大荷物四季の天気で在宅ショップＩＰパソコン通信、ＩＰパソコンリーダライタショップカード接触、パソコン画面集荷市場、漁港市場、地区商店街全体から選択、野菜コーナーをＩＰ超小型暗闇暗視赤外線カメラ移行パソコン画面上商品選択操作、ＩＰパソコン通信デパート・スーパー。高額美術は物品順次見る・鑑賞・観賞・高額美術の印刷を介して一覧表画面引出す特殊を具備の該ショップ２タッチと電波情報システム。  
【請求項３１】
贈答品のショップはＩＰパソコン通信で立体自動倉庫内店、赤外線暗視カメラパネル画面該ショップ２タッチ操作する、店舗内同様パネル画面聴覚知する、産地直販、贈答商品別配列商品内容・調理方法・量数・冷凍梱包料と配送料・単価表商品選び、該ショップ２タッチはパソコン住所氏名と整理番号と配送日時分事前端末に入力する電波通信回路システム。  
【請求項３２】
ＩＰ通信パソコンショップは家電・家具・台所用品・工具・衣料品サイズ・材質表、特殊機能構造画面で四方位裏底内部と回転自在選択する操作や取扱いを画像表示する、家具類の取付け又は金具と材質画像をＩＰパソコンに表示と図面照合選び室内豪華・住居生活重視する、工作や製造工程又は工場案内画像と商品閲覧画像を、ＩＰパソコン通信の生活構成と家電家具・台所用品は転出入先の配置図サイズをＩＰパソコン画面上で配置家具サイズ置並べ合せ高さ幅と通路階段搬出入口を画像移動と模擬搬出入図を画像動画確認する、移行確認接触警報ブザ音、点滅色灯用いる安全に上記をコピー現場確認する特に賃借主は転出入有効する。衣料品は体系をＩＰパソコン入力画面から選らんだ衣類試着画像、色彩模様柄合わせ繰返しと首・腕窮屈な試着と試着屈指運動で合わない問題をセンサ検出する、又は病気、事故にあつて障害は、体形サイズを誘因は試着状態の物品選択と加工する、電話対応体形サイズ説明で画像試着動作は気楽にプライバシー安心、他人試着感染感情や不快感与えない特徴ある電波通信情報回路システム。
【請求項３３】
セキュリティ手段と戸建て、賃借物件・貸主・会社契約の個人プライバシー、個人宅住所名や戸籍謄本、土地建物登記謄本、会社登記謄本、個人経歴。プライバシー、スキャンダル又は月振込額を貸主借用ローン額と月振込額と賃貸契約書記入不要に、該ショップ２タッチ使用で情報収集阻止する構成の該電波情報照合印鑑証明の改印と住民票と土地建物登記謄本を改印は該ショップ２タッチと電波情報照合する手段とすることにする、又は５年間・数十年間に高額借用担保と連帯保証人に本人なりすまし正規法に整合させない該ショップ２タッチと電波情報照合セキュリティシステム。
【請求項３４】
前記メモリリーダ・バーコード・ＩＣタグを該ショップ２タッチ・ＵＳＢ・ＳＤ類カ−ド・携帯電話機に格納する、該ショップ２タッチパソコン又はＩＰパソコン該ショップ２タッチ認証相互間を一致の照合、パソコン勤怠簿、経理複式簿記、給与と労務の該読取端末他人タッチ不正操作拒否する特徴ある該電波情報照合セキュリティシステム。
【請求項３５】
ＩＰパソコン通信で国内・国外を見学や入場鑑賞・観賞に美術館、科学館、博物館、宝物館、寺院や野外鑑賞・観賞庭園、四季風景を航空・船舶・列車窓風景、工場見学、祭り神輿・屋台・カラクリ屋台・御所車等を四方位回転動の動画像視聴知、コピー、観光コース工程順に動画案内。都道府県名・市区町村名、見学所要時分・見学入場料・国宝・重要文化財詳細は追加料と物品を容器内底蓋内と回転画面は特別追加料、蒔絵や巻文順次広げ説明視聴知と書画巻を解説する特徴と手話画像又はスーパー文字、凹凸触手技術進歩音声同時平版凹凸装置具備する該ショップ２タッチ、外国見学と入場同じシステムと自国通訳説明案内料金表チエックする、セキュリティ機能作動と強引不正は画面強制消灯する。乗車券・入場券・招待券・有料招待券をＩＣタグ該読取端末、該ショップ２タッチ、国内・外等世界各国の開催出入口又は開閉動通過の特徴ある該ショップ２タッチ該電波情報照合セキュリティシステム。
【請求項３６】
観光ホテル旅館・宿泊施設利用該ショップ２タッチ格納ＩＣチップ精算、回数又はポイント点数値のショップカード加算集客力得るシステム、多額現金持参する側と取引側現金不安と生命危険守る、観光と見学を提供する事業主にＩＰパソコン又はＩＰ電話の公衆通信網接続ショップカード残金記録読取工程数値引出書換機能、該ショップ２タッチ、航空・船舶・列車搭乗出入口・重要会場出入口は犯罪侵入と逃亡不正防止する該ショップ２タッチ該電波情報照合セキュリティシステム。
【請求項３７】
金融ＩＣチップ融合は、金融ＩＣチップ内臓の該ショップ２タッチＡＴＭカード挿入口又は接触ＡＴＭパネル面項目と数字照合リーダライタ、該読取端末振替現金引出預入変換ショップカード、ＡＴＭパネル項目と数字面は凹凸面併用、該読取端末の振替・現金引出、預入ＡＴＭパネル面表示数字間違い訂正する、該券売端末の借用残金不足前にＡＴＭ取扱金融は他の該券売端末、読取書換と引落し利便性ある、個人認証カードと認証ＩＣチップチップ融合用いる、金融ＩＣチップ、該ショップ２タッチ業務動作するＩＣチップは独立動作を構成する該電波情報照合セキュリティシステム。
【請求項３８】
ナノリニア錠ロックにリニアステーション類を直動・回転動するナノリニア錠は、温度特性は零下数拾度・高熱数拾度の環境を駆動する特性が希土類磁性を介しＮ・Ｓ着磁を組み合わせた超伝導磁気半導体反発・吸引力浮上が直動・回転動駆動ロックに発生を該電波情報を介して解錠・施錠駆動する通信情報を予めロック類に登録格納を該ショップ２タッチ介して、該電波情報がナノリニア錠駆動ロックする特徴ある該ショップ２タッチセキュリティシステムと所有者帰宅玄関ドア該ショップ２タッチは電気錠・電子錠・ナノリニア錠で解錠・施錠駆動帰宅音声と足元点灯とドア開閉動を外部動ときドア開けます音声安全する、尾行ストーカ、セキュリティ犯罪者出さない生活環境、地震４度以上は避難通口確保自動解錠、施錠危機管理構成の該ショップ２タッチ該電波情報照合セキュリティロックシステム。
【請求項３９】
半導体超電導駆動をシート類又はテープ類に加工する。リニアテーブルスライドする両面部位の両側に装着具備する又はリニアテーブル動作を耐腐食性、耐溶剤性、断電性と海水中可能であり、潤滑油不要を装着具備したノンメンテナンスのベアリングを介してリニアテーブルを駆動によって、ナノリニア電子錠のロック解錠：施錠する特徴ある該ショップ２タッチと該電波情報照合のセキュリティシステム。
【請求項４０】
事件事故意識不明生死緊急優先トリアーゼ・感染医療情報は２次感染の院内・外感染防備体制できるＥＢＭ双方救う、病歴カルテＩＣチップは所有者生涯必要な既往症病名・診療年月日・抗生物質・アレルギー拒否反応・即適切診療する、年齢と共忘却もプライバシーとセュリティ備える、拾数年前の病歴忘れたより苦辛激痛状態患者に既往症記入元気ない、説明返事困難と患者の立場を事務的処理の医療現場は病歴ＩＣチップ端末は最高緊急とき救命体制緩和する、生命救うカルテ内容の変更は続成有効する生涯必要なＸ線ＣＴレントゲン画像を常時手元保持、ＩＣチップ格納、別の病院数箇所行く、重患部位見落負荷、３次元垂直・斜断面画像を電子解析、ＭＲＩ・ＭＲＡ・ＬＤＣ・ＣＴ合成画像ＩＣチップ登録事前検査なく即手術有事する、不在は人命尊重最優先も脳死・心臓停止待つ状態より、該ショップ２タッチ代理人夫婦・親子・兄弟又は親戚と反対は所有者代理人、代理人は承諾書に如何なる手術了承又は心臓停止近い・脳死近く回復困難、社会復帰困難は延命所信条項表示と電話・携帯電話口答で自筆に変わる医療法、個人情報保護法プライバシー開示違法抵触する壁に人命無視なく助ける精神忘却前に人命尊厳優先重んじ生命預かる医師重責する、ショップカードに特殊光線当て代理人承諾書ＩＣチップ付湯有無知する、プライバシー・セキュリティ有事者開示する最大特別構成ある該ショップ２タッチを介して特殊該電波情報照合のプライバシーセキュリティシステム。  
【請求項４１】
生体画像認証病歴カルテとナノ超微細レントゲン付金融電子カードを病院パソコンに資格医師複数生体画像認証ＩＣチップ接合カードと２段挿入口、情報視知即適正対応処置、救急車両内は、請求項１−１記載の認証方法と手段の救護士カード該ショップ２タッチ指押し病院移送する、又は代理人ＩＣチップ用いる、突然急病・事故で意識不明、危篤瞬争状態手術承諾書は健全とき代理人自筆署名・年月日サインする、医者現場放棄目視なく治療する究極ある該ショップ２タッチの極限安全ある特別な該電波情報でプライバシーとセキュリティシステム。
【請求項４２】
前記賃借相互保障会の会員賃料は、賃借相互保障会個人名義口座に入金は該賃借相互口座にする。賃借物件の出入口ドア・窓に電気錠・電子錠・ナノリニア錠の解施錠駆動を該ショップ２タッチ駆動ロックする。ショップカード所有者転出入登録抹消、電子錠・ナノリニア錠取換なく登録と抹消で半永久使用する、賃貸は転出入の退去は新錠前取換高額出費と短期錠前廃棄ある、賃貸業には絶対的合理化する特徴ある該ショップ２タッチと該電波情報を具備するセキュリティロックシステム。
【請求項４３】
ショップカード所有者被災時は全て該券売端末又は該レジ端末、該ショップ２タッチ避難先住所と建物の名称入力、災害又は震災掲示板繰返し画像構成、震災時被災者救出する人命優先に関する被災者情報、倒壊下敷き延焼寸前消火救出する。災害地区で被災者探し見舞親族右往左往は消火と人命救出妨害する、立入禁止震災地区外周に該券売端末と該ショップ２タッチ前面位と両横面位に有機ＥＬ画面を設置は画面表示する、又は被災者探し安否確認は被害者名と住所表示する、緊急表示する有機ＥＬ画面に避難者名と住所と男女プライバシー守り、必要は口答解説する、避難先住所、避難建物名称を随時新しい情報掲示、連絡通信番号又は被災専用ＩＰホームページ利用の表示板、被災避難者に画面視聴知、外国人地区は数ヶ国語の切換表示と通信緊急掲示板、地区商店街行事等掲示又は宣伝掲示小学上級生から中・高校生にことわざ、四字熟語表示ショップ店で詠み書きと解説正解はメーカーのポイント別追加することで、日本文化知識記憶力向上と商店街発展相互効果・広告費ポイント点数蓄積加算は商店街運営資金に有効の特徴ある該ショップ２タッチと該電波情報システム。
【請求項４４】
震災・災害・事件事故・緊急事態時に通報者動転住所、氏名、電話番号声出ないパニック異常事態説明困難緊急通報はＩＰ緊急通報該ショップ２タッチは氏名と住所と電話・ＦＡＸ・携帯番号を消防署・警察署瞬時表示と緊急事態具体的説明正確に緊急送信する特徴ある該ショップ２タッチと該電波情報照合システム。
【請求項４５】
該賃借相互は、賃貸保険として家族構成の増減、環境変化・近隣急変・勤務や進学と就職の都合又は定年又はリストラで所得減は分譲・戸建売却激安もローン残額多く、賃料支払困難より前記賃借相互に加入と毎月蓄積端末する、蓄積費用を賃借住宅取得にする、該賃借相互会員入居する回転収益は賃料割引又は生涯賃料無料を介して、該賃借相互で居住保障に解決する、就職後は本人該賃借相互積蓄と早期退職又は定年、失業、途中退職は賃料無料の生涯居住で空気と水美味しく新鮮食料品採れたて地区、観光地、温泉地付近転居数年間単位転住又は永住する、日本人・外国人共に職場近くに住むが老齢と微額所得生活困難は地方居住又は外国短期間・長期間の永住探せる特徴ある該ショップ２タッチと該電波情報照合システム。
【請求項４６】
進学賃借保障の賃料積蓄式は０歳から１８歳の１８年間毎月蓄積額又は増減不規則額を人生計画する、前記賃借相互口座に備える、満期１８歳・２年制、４年制に賃料無料又は賃料割引を具備する、光熱交通食事代日常生活費用、両親賃料仕送り上記額以上に毎月生活維持は携帯電話料、パソコン料、固定電話料、光ファイバー・サーバー料、ＩＰ通信、近代技術出費分は０歳から積蓄安心、親は職業環境変化戸建劣化補修大工事、教育費と生活費仕送り困難、勉学よりアルバイトするが、該ショップ２タッチ積蓄、賃借主の相互扶助保障保険を具備するシステム又はショップカード退会自由、退会取消又は該賃借会退会入力、ショップカード残数値端末とポイント残点数値端末を解決する該ショップ２タッチと該電波情報照合システム。
【請求項４７】
該賃借相互の資金は非営利事業適正する、国内・国外共に安全適正する。蓄積額、投資協力蓄積額、該賃借相互の会員意見多数決で地区調査、検討決定地区の賃借物件売主・建主から該賃借相互情報視聴知、詐欺、騙され被害受けないため現金不正振込取引なし、安全確認あと取引契約する。該賃借相互の会員入居賃料は、該賃借相互口座から該ショップ２タッチと該電波情報照合で振込む。賃貸入居申込順する。住宅購入から居住賃料と、他資金を順続、該賃借相互は賃料から諸費用該ショップ２タッチ精算を介して、運営設備費他差引残を次期該賃借相互の物件購入額加算該賃借相互口座する、悪質商法業者に真似被害者出さないこと関係省庁手続きする。該賃借相互に現金数値額を操作不正防止手段する該ショップ２タッチと該電波情報照合セキュリティシステム。
【請求項４８】
国内・外国、該券売端末に外国該賃借相互の情報を介して該賃借相互口座にする、外国物価指数、地区低賃料相場にする。日本人が外国居住とき該賃借相互口座を介して備える。外国人国内で働き定年後所得激減少なく国内生活困難は帰国外国指定該賃借相互住宅建設、物価指数安い帰国居住安心、衣食住の賃住生涯無料の人生プラン選べる特徴ある該ショップ２タッチと該電波情報照合システム。
【請求項４９】
世界の国民に該賃借相互のセキュリティ安全システムに該ショップ２タッチ非接触カードにＩＣチップアンテナとリーダライタ交信エリアとＩＣタグアンテナ両側から接触面位リーダライタ交信良好位置、生体複数認証ＩＣチップアンテナをカードの上部中央位置交信を備える、認証相互間を一致照合において金融取引と出入口通過する、ショップ取引、登録したロックを解施錠駆動する、契約書類と賃借証明を介して具備する。ショップＩＣチップアンテナをカード中央左側位置交信に備えて、読取書替情報交信と常時精算残数値と該券売端末現金変換と該レジ端末残数値とポイント点数値又はポイント数値変換と外国通貨数値変換残数値はショップ取引、ＩＰ電話とＩＰパソコンとＩＰ通信読取書換端末と画像視聴知を有効する。該賃借相互ＩＣチップアンテナをカード中央右側位置と交信設け、該読取書換、情報交信を該賃借相互の会員、蓄積数値、賃貸契約書、該賃借相互の物件取引、空室案内、業務と設備経費数値に活用有効する。病歴とＩＣチップアンテナをカードの下中央位置交信設け、カード増設又は拡大位置とレントゲン画像視知即動処理する、延命不可能以外の患者人命尊重する特徴ある該ショップ２タッチと該電波情報照合システム。
【請求項５０】
該賃借相互は該ショップ２タッチ賃料と蓄積振込は該賃借相互口座にする。立上げ蓄積数値を該賃借相互口座に年間・季刊選択報告、該賃借相互に蓄積集計物件購入額達成は、該賃借相互の地区会員は調査決定、物件売主口座に蓄積報告会員は該賃借相互口座に通知とき振込む、現金取引しない方法は不正と詐欺出ない取引を契約する特殊な該ショップ２タッチと該電波情報照合セキュリティシステム。
【請求項５１】
２１世紀はＩＰパソコン画面該ショップ２タッチ検索自在、在宅夢を現実進歩する構成、世界の国民利用購入、見学、鑑賞、金額数値と貨幣通貨は賃住探し応対者同一動画像と画面視聴知解説、当国言葉を視聴知に対応ＩＰ会話解決。高齢者に会話相手困難をＩＰ会話。うつ病又は徘徊重軽状態は、金銭感覚と記憶弱者通帳、実印権利書、なりすまし印鑑証明改印と住民票正規取得結婚養子入籍高額借用の連帯保証あと除籍を防ぐ、資財産被害や多種振込み詐欺守るＩＰ通信とＩＰ会話管理を特徴ある該ショップ２タッチと該電波情報照合ロック駆動するセキュリティシステム。
【請求項５２】
多種機能ショップカード格納、保管庫、該ショップ２タッチ電子錠又はナノリニア錠ロック解錠：施錠する、個別箱もセキュリティシステム備える、ショップカード残数値各保管庫所有者個別出入と記録画像視聴器を具備する。ショップカード紛失は取引停止と再発行取引復活とき再発行登録を具備と電子錠又はナノリニア電子錠を該ショップ２タッチと該電波情報照合ロック駆動システム。
【請求項５３】
該賃借相互に毎月蓄積ＩＣチップを該ショップ２タッチで該賃借相互口座に入金蓄積する、地区多数の該賃借相互口座の確認情報、物件売主又は建主調査する、不正・詐欺ない取引契約あと該賃借相互口座から振込む特殊な特徴ある該ショップ２タッチと該電波情報照合セキュリティシステム。
【請求項５４】
多人数集合住宅を該ショップ２タッチロック解錠：施錠する。国内・外国対応は通貨を換算交換端末ショップカードに通貨換金と外国ショップカード当国の通貨換金ショップ端末機能、カード個別情報開示該ショップ２タッチ相互間を一致照合行う相互不一致照合瞬時拒否。ショップカード紛失カード登録数値保管庫、該ショップ２タッチ取引停止する手段の特徴ある該ショップ２タッチと該電波情報照合セキュリティシステム。
【請求項５５】
国内又は外国人共に視聴知に対応ＩＰ会話解決と高齢者年度録音ＩＰ会話とうつ病・徘徊は金銭感覚０と記憶弱く貯金通帳・実印置き場所不明、管理困難は、ショップカード紛失ショップカード取引停止又は再発行取引復活該ショップ２タッチ安全。各保管庫所有者個別出入記録。多人数集合住宅又は少人数集合住宅に賃借主該ショップ２タッチ開閉する。国内又は外国に対応は通貨換算交換ショップカード通貨換金と外国ショップカード当国の通貨換金ショップとカード個別情報開示該ショップ２タッチ相互間を一致照合端末は相互不一致照合瞬時拒否。紛失は該ショップ２タッチ取引停止と再発行年月日時分秒数値を国際標準印登録と地番数値登録を具備する特徴ある該ショップ２タッチと該電波情報照合セキュリティシステム。
【請求項５６】
各多種機能を格納は個人保管庫のＩＣタグ電波通信を介して解錠：施錠する、該ショップ２タッチ操作セキュリティと、該ショップ２タッチの非接触カードにＩＣチップアンテナとリーダライタ交信エリアとＩＣタグアンテナ両側から接触面位リーダライタ交信良好位置、生体複数認証ＩＣチップアンテナをカードの上部中央位置交信設け、認証相互間を一致照合、金融出し入れと出入口通過する、ショップ取引はロック解錠：施錠駆動する、契約書類・賃借証明に活用する。ショップＩＣチップアンテナをカード中央左側位置交信に備えて、読取書換情報交信と常時精算残数値で数回値保存あと順次保存しない。該券売端末現金変換と該レジ端末残数値又はポイント点数値・ポイント数値変換、外国通貨数値変換残数値とショップ取引はＩＰ電話とＩＰパソコンとＩＰ通信読取書換を画像視聴知に有効する。該賃借相互ＩＣチップアンテナをカード中央右側位置と交信に備えて、該読取書替と情報交信を該賃借相互会員の蓄積数値と賃貸契約書、該賃借相互物件取引、空室案内を介する、病歴のＩＣチップアンテナをカード下に組込みシステム通信回路を設置する特徴ある該ショップ２タッチと該電波情報照合システム。
【発明の詳細な説明】
【技術分野】
【０００１】
本発明は、該ショップ２タッチは、ＩＣチップと日本標準年月日時分秒数値転写ＩＣチップ登録する、非接触ショップカード１タッチ登録格納する、表面部位に顔面画像転写する視知照合は身分証明又は該ショップ２タッチは相互間の一致照合を介してリーダライタと組込み機能による識別の成立に関する。
【０００２】
本発明は、該ショップ２タッチ本人の身分証明に顔画像付を出入口、入場口、乗降口通過。短期と長期間留守は、代理人登録ＩＣチップ、賃貸主登録ＩＣチップ、賃貸管理人登録ＩＣチップ端末の該ショップ２タッチと該電波情報照合に関する。
【０００３】
本発明は、該ショップ２タッチの病歴データ又はレントゲンを解析処理画像の参照光の波長干渉乱数波長を解析処理・暗号処理・暗号記号変換帯域ナノ圧縮登録ＩＣチップ、該ショップ２タッチ意識不明、瞬争事態とき該ショップ２タッチと該電波情報照合システムに関する。
【０００４】
該ショップ２タッチチャージ又は精算該券売端末に紙幣入口/受取口又は硬貨口/受取口を設けて、金種判読と識別あと該読取端末は真偽判別返還口を介して、ショップカード読取残金と集計記録とパネル表示確認視知できる現金や振込額集計管理の蓄積は該読取端末格納する。該読取端末、金額間違い訂正は所有者生体部位２タッチ修正、ショップカード内容入力管理、凹凸カードパネルを備えた該ショップ２タッチと該電波情報照合に関する。
【０００５】
ショップ領収書とレシートの情報を読取書込転換と職場又は家庭のパソコンにダビング、領収書管理を便利にする、ショップとき領収書発行待ち激減する、ショップカー該レジ端末をショップカード所有者使用するショップカード該レジ端末を通過は混雑解消更に該ショップ２タッチ、店員該ショップ２タッチで双方清潔と快適与えつり銭トラブル解決とショップＩＣカードの盗難紛失とき、他人利用時は認証相互間を不一致の照合は端末停止パネル消灯と該ショップ２タッチと該電波情報照合システムに関する。
【０００６】
ＩＣカ−ドを用いショップカード現金数値変換、他記録と数値転換する、ショップＩＣチップショップカードに登録併用を具備するショップＩＣカードセキュリティと該券売端末現金投入又は偽造検知と通貨真似磁気検知は該ショップ２タッチと該電波情報照合に関する。
【０００７】
本発明によって、該券売端末に蓄積額、該読取端末ショップカード所有者借入とき、所有者借入限度額内の数値計算をショップカード書換る端末通信回路に関する。
【０００８】
外国通貨をショップ時自国並みショップカード使用する、ショップカード該券売端末挿入、外国通貨投入口と該券売端末が読取外国通貨レート変換該読取端末とショップカード書込変換方法又は出国と帰国変換する該ショップ２タッチと該電波情報照合に関する。  
【０００９】
領収書にショップカード所有者受取者個人又は会社の名称入りを転写発行する、該ショップ２タッチとＵＳＢとＳＤ書込端末と該レジ端末の領収書は受取者名称に転写発行する。ショップ取引店領収書受取者名称転写発行する該ショップ２タッチと該電波情報照合システムに関する。
【００１０】
ショップカード用いてゲート通過時又は玄関通路出入口ドアリーダライタと組込システム、ショップカード挿入又は接触動作、該ショップ２タッチ相互間を一致照合介して、ロック駆動する該電波情報をドアに登録の電気錠・電子錠・ナノリニア錠数十個ロック又はドアと書庫、ロッカー、タンスや多種引出しと引違い、観音開きの大・中・小な多数の錠前も該ショップ２タッチ１枚を用いて１タッチを介して解錠：施錠駆動する特徴該ショップ２タッチと該電波情報照合に関する。
【００１１】
ショップカード所有者が依頼するショップカード代理人選び作成する、ショップカード所有者と責任代行する代理人の端末とショップカード所有者紛失又は他人利用時は認証相互間を不一致の照合を介して端末停止パネル消灯する該ショップ２タッチと該電波情報照合に関する。
【００１２】
該レジ端末は、所有者を設けショップカード中間部位の極薄シール面に会社、氏名、住所登録、ショップ又はブロードバンドＩＰ電話通信とＩＰパソコン通信とＩＰ携帯電話通信又はＩＰショップとＩＰ見学観覧セキュリティシステム端末を具備する、パソコン通信又は電話通信は技術のＩＰパソコン通信とＩＰパソコン電話を介してショップカードを備える、店内ショップ又は倉庫ショップは店内人数減を配達増員になり高齢化と障害者在宅ショップとき親切な接遇と健康確認できる安全安心を与える。忙しい、遠い混雑、重い、大きい物品とき便利な該ショップ２タッチと該電波情報照合に関する。
【００１３】
賃借主失業又はスポーツと業務に事故病気障害は該賃借相互の蓄積数値で生涯居住賃料無料又は賃料割引居住する、転居自由は精神的安心と先見実行は社会生活に衣食住の住まい安心を与える手段と生涯居住の賃貸保険を具備する、該賃借相互会員の蓄積金と投資蓄積は健全賃貸住宅を具備する、賃料収益転換繰返し該賃借相互口座に積蓄額相互扶助と相互依存を介した特徴ある該ショップ２タッチと該電波情報照合に関する。
【００１４】
本発明は、生体画像認証ＩＣチップ登録、複数生体画像認証ＩＣチップ登録所有者病歴情報ＩＣチップ登録、所有者意識不明・危篤瞬争事態又は記憶喪失ときプライバシーとセキュリティ開示者以外はパス、ショップカード所有者の生涯必要な病歴ＩＣチップ登録情報格納する、認証該ショップ２タッチ相互間を一致の照合を用いて国内と世界向上は電波通信回路に関する。
【００１５】
乗物にリーダライタ該ショップ２タッチと該電波情報照合乗車とき乗客リーダライタは該ショップ２タッチを介して乗客行先説明発車又は到着する、該ショップ２タッチ料金額消えドア開く、料金点灯残額不足ドア停止中になる、現金持たない、料金踏倒防止と現金強盗や乗務員殺人犯出さない備えと、夕方から翌日朝方まで諸業種営業も同様に出入口で該ショップ２タッチ接触する手段は、ショップあと該ショップ２タッチ残金不足は出入口通過拒否する特徴ある該ショップ２タッチと該電波情報照合システムに関する。
【特許文献１】特開２００５−２６４５１０公報
【特許文献２】特開２００５−０９００４９公報
【特許文献３】特開２００４−５０７８４２公報
【特許文献４】特開２００４−２２０４３０公報
【特許文献５】特開２００５−２８４３２７公報
【特許文献６】特開２００５−０９２６８５公報
【背景技術】
【００１６】
以下、本発明の実施形態に関わる概略ブロック図である、該ショップ２タッチ認証装置を実施例にもとづき図面を用いる説明する。
図１と図２は、この発明の実施形態による該ショップ２タッチを用いる。この図において、ショップカードＡとショップカードＢに「請求項１」記載の方法と手段の生体画像認証又は複数認証画像端末の個人生体認証ＩＣチップ３。指紋・指認証と手の掌静脈画像又は血管画像認証と音声・顔・虹彩画像認証端末の複数生体画像認証ＩＣチップ４。登録日の年月日と日本標準年月日時分秒数値認証登録と氏名・生年月日性別登録と地区町番地数値認証端末の個人記録認証ＩＣチップ５。現金を数値変換、ショップ読取引落書替認証端末のショップ残数記録ＩＣチップ６。該賃借相互の会員蓄積残数該読取端末と記録再生端末の該賃借相互ＩＣチップ７。外国ショップ残数記録ＩＣチップ８。日本国又は外国自国で外国名指定する該賃借相互会員の毎月蓄積した残数値を読み書換認証の外国該賃借相互ＩＣチップ９。図２のショップカード２は個人端末の病歴データとレントゲン画像ＩＣチップ１０。血流血管異常状態超限界＋圧縮の画像、心臓・脳・血管画像端末のＣＴ・ＭＲＩ・ＭＲＡ画像ＩＣチップ１１。該カード２にＭＲＩ・ＩＤＬ・ＣＴ合成限界究極ナノ画縮画像する心臓・脳・血管画像端末のＭＲＩ・ＭＲＡ・ＩＤＬ・ＣＴ合成画像ＩＣチップ１２。
【００１７】
図３は、生体画像認証ＩＣチップ登録端末のショップカード保管庫１３、個人生体認証ＩＣチップ登録収納する自宅出入りとき又は出退社端末の個人ショップカード保管庫14収納する。該ショップ２タッチ認証機能のリーダライタ１５によって、ショップカード１と２のショップカード接触面位１６に触れる、ショップカード挿入口１７に挿入、不一致１８押出の不正１９出す。不適合判別ミス・誤動作の再度２０押出す、適合ショップカード正常２１は回路通過の組込システム２２する。個人生体画像又は複数生体画像認証のショップカードＡ２３とショップカードＢ２４を備える。該ショップ２タッチ認証相互間を一致照合端末２５通過、なりすまし偽造の他人不正２６押す、適正該ショップ２タッチの２タッチ目を動作端末２７通過のショップカード端末２８機能する。
【００１８】
図４は、該ショップ２タッチを介しての該券売端末２９の現金投函３０入れる。投資現金の余剰数値該読取端末３１管理する。通貨真偽を磁気又は遠赤外線検知端末機能は偽造検知分別の真偽不正３３を区分の現金真偽検知端末３２。該ショップ２タッチカードに現金数値を読取書換の現金数値変換端末３４。該ショップ２タッチのカードと現金投入額を数値残数に書換の現金蓄積残数値端末３５。タンス預金と投資金の余剰現金残数値端末３６。ショップカード入会と該賃借相互会員の新規入会ボタン３７に加入者引出しの現金払口３８。ショップカード解約現金化の現金返還３９。各機能集約の現金保管金庫４０。乗車券と入場券と招待券の券面に項目チエックあと該ショップ２タッチＩＣタグ又は券面読取記入ＵＳＢとＳＤ類カード、携帯電話に読取出入口タッチ通過の乗車券と入場券・招待券端末４１と都合による取消の取消戻し端末４２解決機能する。通貨の保管箱４３の保管金庫４４を備える。ショップカードのチャージ又は各種券情報と変更確認ショップ購入物品名と購入額確認を該ショップ２タッチ操作のショップカード視聴器４５。該賃借会会員賃料振込を該ショップ２タッチ該読取端末引落数値残書換と貸主該ショップ２タッチ数値記録残数と該賃借相互口座残数値確認の該賃借相互口座残数値端末４６。該賃借会会員蓄積・投資蓄積・紹介その他蓄積額に対し購入又は建設額売主・建主直接該ショップ２タッチ決済と中間振込又は現金払いナシの該賃借相互蓄積端末４７。該ショップ２タッチポイント点数値該読取端末変換のポイント点数値端末４８。借用、借用限度額借入れ、月返済額数値、日を決め該ショップ２タッチで借用手続の該ショップ２タッチ借用端末４９。ポイント点数残数値有用で、商店街行事、大売出し、事務運営費・有機ＥＬを商店街改装費の商店街運営端末５０。地区商店街ポイント外のクーポン・スタンプ押し又はシール貼付け、紛失、ポイント点数値業務に読取転換の他業種ポイントカードＩＣタグ端末５１。該ショップ２タッチ事業主は、１日終了又は区切売上額確認、売上物品と売上額、物品仕入の一日精算該レジ端末５２。震災外周地に該券売端末を配置協力、被災者氏名、男女別、住所プライバシー考慮、避難先住所と建物名称を数時間単位新しい情報掲載、親族・知友人安否情報発信、渋滞混雑震災現場被災復活活動の緊急・震災情報掲示板５３。年間行事、大売出し、商店別案内等の情報の商店街行事案内板５４。多種類な宣伝を営業しポイント点数増に有効は、商店街改装費、事務運営の宣伝掲示板５５。該券売端末の両横面部分・前上下面部分を利用の有機ＥＬシート板５６とシート５７。
【００１９】
図５は、この発明の実施形態の該レジ端末５８紛失・事故・事件は即座取引停止する、再発行手続きは該ショップ２タッチ発行のカード保管箱５９。ショップカード１・２用い１日の売上げ数値の該レジ端末と該読取端末６０。ショップ各店の売上数値知のショップ店売上数値端末６１。該ショップ２タッチ在宅鑑賞・観賞・見学を静止画像と動画像視聴知のＩＰパソコンとＩＰ電話と携帯電話端末６２。在宅鑑賞・観賞見学の該ショップ２タッチ国内通信端末６３。国内・外の世界に通信購入のＩＰ店舗とＩＰ倉庫内パネル端末６４。四季・足元不便、重い容積とき病気事故不自由の在宅パソコンと固定電話と携帯電話パネル端末６５のパネル購入の配達６６。申込受取６７選ぶ。該レジ端末レシート又は領収書受取者の名称転写発行を該ショップ２タッチとＵＳＢとＳＤ類カードと携帯電話機端末に読取書替貼付の領収書受取者名称転写発行該ショップ２タッチとＵＳＢとＳＤ類カードと携帯電話機ＩＣタグ６８を具備する。ショップ会計とき領収書待ち緩和の名称入領収書発行ＵＳＢとＳＤ類カード・携帯電話機端末６９。付近の勤務者派利用のパネルタッチショップ店舗７０。借主に厳しい審査や住民票抄本と謄本、印鑑証明と戸籍抄本と謄本の賃借主と貸主２タッチ端末７１の該賃借相互端末７２は前記問題の外国該賃借相互の外国該賃借相互住宅購入と建設端末７３。書籍万引犯罪ださない防止の書籍と新聞端末７４設ける。賃借主住まい探しと契約内容、室内・外と付近動画像確認、貸主と詳細ＩＰ電話とＩＰ携帯電話該ショップ２タッチ媒介業者ミスとロス又は不正の個人と会社のプライバシと諸情報資料集め事業化を激少努力大事。国内に在住する外国人又は外国人と会話とき日本人外国行き、電話通信とＩＰ電話通信とＩＰ携帯電話鑑賞・観賞見学会話安心の世界各国語会話端末７５を設ける、世界各国別端末７６操作する。前記不要のショップカード脱会、該賃借相互を脱会端末７７設ける。1日のショップ物品と数値確認のショップ数値確認７８。国内と世界安全ゲートと出入口と開閉止端末７９、職場の出入口又は玄関の電子錠とナノリニア錠端末８０。ＵＳＢ・ＳＤカード類利用のメモリカード差込口８１を備える、カード差込口８２を備える。
【発明の開示】
【発明が解決しようとする課題】
【００２０】
解決しようとする問題点は、世界犯罪事件解決効果の期待、個人権利守る必要発生する。住民票、印鑑証明、金融機関互換性利用、書類発行の輸出入多大資料、個人又は会社認証する書類資料、国内と外国出入口、ゲート、開閉止、勤怠簿と出退勤管理、電子錠・ナノリニア錠解錠・施錠と乗車券・入場券・招待券は該ショップ２タッチ収納ＩＣタグ該読取端末する、ＩＴ化進み空洞なりすまし不正実行に諸防御と諸法疑問不安なく、世界の国民に安全セキュリティは、指紋画像認証をＩＣチップ登録、金融ＡＴＭ挿入、他人なりすましＡＴＭ液晶画面タッチ現金と振込可能する。生体画像認証登録ＩＣチップ１タッチＩＣカード所有者ＡＴＭ挿入同時リーダライタ接触、該ショップ２タッチ認証相互間を一致照合する、ＡＴＭ液晶画面の数値項目該ショップタッチ。ショップカードに顔画像転写貼付身分証明を該ショップ２タッチ超厳密出入・入場・乗降通過。ショップ所有者不在や長期間留守は代理者ＩＣチップ登録又は賃貸主ＩＣチップ登録、賃貸管理者ＩＣチップ登録を該ショップ２タッチと該電波情報照合システムなかった。
【００２１】
病歴カルテデータＩＣカード登録プライバシー・セキュリティ機能なく。医師と救急車両に乗務の救護士、所有者カード情報確認機能なかった。生涯所有者必要レントゲン画像保存認識欠落環境問題５年間保存以降は処分実態の医療制度、５年間以降も患者必要ときレントゲンない場合は所有者生涯保存に帰属ない、該ショップ２タッチ生命救くえる先行重要性なく、意識不明患者手術、病歴視聴知ない瞬争遅く生命落とす現実。１９９９年ホームページ公開論に病歴、既往症、危険緊急優先とリアージ救う、感染の医療前情報は２次感染防備受入態勢大勢を救うＥＢＭ情報安全機構と詳細表示と該ショップ２タッチシステムを大企業訪問説明と関係会場１日名刺数百枚交換と口頭説明とホームページ公開する、世界中の医療関連一人でも生命救う安全と平和の問題点がなかった。
【００２２】
生体画像認証複数化する、生体画像認証相互一致の照合、生体画像複数瞬時照合する装置要求。暗証番号に変わる日本標準年月日時分秒の電子印を数値不変登録用いる、登録地区名、番号置換え数値記載データ化するカード該ショップ２タッチと該電波情報照合の認証方法なかった。  
【００２３】
生体画像認証データ光計測静脈画像又は光学生体画像認証、複数の生体画像認証と生体画像内部認証、血管画像セキュリティ技術遅れは、指紋外部皮膜の技術急進なりすまし不正セキュリティ技術進化レベル高精密高速優れ追い越せない実勢被害増幅現実に対処解消は複数生体画像認証なかった。
【００２４】
解決しようとする問題点は、従来の指紋画像認証は１タッチ、該ショップ２タッチシステム困難、偽証保証人使い印鑑改印あと住民票と土地建物謄本改印できる問題１年過ぎ結婚・養子入籍パスポート取得、住民票担保や土地建物担保巨額借用と連帯保証人を正規法令、離婚除籍から外国出国、数十年間発覚なく、正規婚姻の不幸と巨額被害が土地明渡しで発覚も不幸は後継者なく死亡盗り得問題に１９７７年と８０年の総理大臣に改印負荷を答申する。不正被害問題に１９６２年から大手銀行と関係業界に改善解説続ける１９９８年にホームページ賃住自律会名称で指紋認証登録と本人タッチの２タッチ整合手段の方法文を大勢に公表と文章配布する。ＩＣチップアンテナ式２タッチ、２００２年は無理も不可能多く金融は認証機能は別位置で該ショップ２タッチ専用リーダライタ該電波情報照合を具備して通信回線組込み通信システムに用いる方法を解説する、生体認証と電子錠と領収書と該賃借相互に関し半導体と関連会場において専門技術者又は大手企業数社訪問とき解説するが進展なくＡＴＭ被害不幸問題あった。
【００２５】
レントゲン画像をショップカード類にＩＣチップ収納は、レントゲン画像物体光・レーザー光の参照光路に位相分布フーリェ変換自己相関、磁束量子の乱数波紋を解析処理・暗号記号変換、帯域圧縮ＩＣチップをＩＣカードに併用収納方法、磁化数色輝度画像信号の対称複合化の再生像・再生照明光に画像情報の相関演算、重なる面積を相関演算の相関定理から再生光のレントゲン画像、国内大手大企業に指紋非接触カード登録、該ショップ２タッチ開発困難・早過ぎ・無理論が半導体業界大半２００２年まで２タッチ不可能する、世界レベルにつき国内技術進歩も困難あり２００２年に大国多数の外国大使宛て技術要請申込むと大使秘書より近い研究の進歩技術企業無く大使も驚き宜しくと返事あった、世界的ナノ研究課題も真実する諸問題点である。所有者が意識不明、瞬争事態とき該ショップ２タッチと該電波情報照合実施できなかった問題点があった。
【００２６】
問題が２００３年カードシステムにおいて盗難急激増加する、金融機関の顧客被害額数拾億円になる。開発１９９９年ホームページ公開ある該ショップ２タッチ実施の金融機関は顧客被害与えない機能採用実現は被害減少できた。半導体企業は指紋の技術壁から２００３年に世界に生体認証発展も複数生体画像認証該ショップ２タッチと該電波情報照合の組込みシステムがなかった。
【００２７】
ショップカード利用は、ショップカードリーダライタによりショップカードＩＣチップ登録数値と複数生体画像認証、地区名に数値変換、日本標準電子印の数値読取る。ショップカードリーダライタに挿入と生体タッチ、認証相互間を一致照合する、又は該ショップカード所有者持った状態でリーダライタに触れると認証相互間を一致照合行う、該券売端末は該レジ端末動作できる。出入口ＩＰパソコン通信とＩＰ電話通信できる。該ショップ２タッチ以外は相互不一致拒否、パネル画面消灯操作停止該ショップ２タッチと該電波情報照合できない問題あった。
【００２８】
健康保健証で高額借用なら、住民票・印鑑証明は数倍巨額借用や連帯保証悪用危険度高い、オレオレ詐欺に保管情報から多諸書類利用とき保管業者に責任法なく賃借主契約書に責任条項ない、賃借主被害与える不幸出さない該賃借相互該ショップ２タッチ確認と上記印鑑証明の改印と土地建物登記謄本又は諸手続きに改印正規法使用は数年間以内に再度改印は該ショップ２タッチと該電波情報照合する精度なかった。他人の住民票、都道府県の税務事務所の資料閲覧と上記印鑑使用も該ショップ２タッチと該電波情報照合する精度がなかった被害拡大続くより最高安全改革できない問題あった。
【００２９】
従来の指紋照合端末は単独システム主流と認証技術進歩と犯罪増加社会変化に同一性遅れある。マネカード融合や病歴融合先見なく、現金持たないセキュリティ安全とＩＰパソコン通信・ＩＰ電話通信注文しない諸方位視る観賞できる該ショップ２タッチと該電波情報照合構成を提供することがなかった。
【００３０】
この技術は、次の問題点ある。該レジ端末で現金出入れ受渡し行列できる。金融カード類盗難紛失は他人利用できる、クレジット付もあり各種ポイントカード氾濫多枚数重厚競い合い緩和と盗難不正防止機能進歩という該ショップ２タッチと該電波情報照合なかった。
【００３１】
従来方法は、所有者暗証番号の変更は常に繰返し行う、秘密性向上させる必要問題ある。生体画像認証は該ショップ２タッチ認証する手段と生体画像認証リーダライタ該ショップ２タッチ組込みシステム認証該ショップ２タッチと該電波情報照合システムなかった。
【００３２】
賃借物件の出入口ドア・戸に電気錠・電磁錠・電子錠・ナノリニア錠は該ショップ２タッチ接触を介して登録を電波通信情報がロック解錠・施錠駆動する。転出入登録抹消変更する、戸建は百年でも錠前取替ない、賃貸居住は転出入多く該ショップ２タッチ転出入永久利用の賃借主は退去新錠前取替費なし、賃貸物件には絶対重要安全セキュリティ該ショップ２タッチロック登録開錠・施錠システムなかった。
【００３３】
電子錠・ナノリニア錠を国内・世界に利便性ある１枚の該ショップ２タッチ介して多種類な錠前を数個の電気錠・電子錠・電磁錠・ナノリニア錠解錠・施錠駆動は、モーターとギヤ構造は耐寒地方と地区で長期間に金属磨耗と腐食・結露・耐溶剤・断電又は油膜粘着凍結塊り早進は駆動停止の不能と手動操作も負荷することのない該ショップ２タッチと該電波情報照合のナノリニア錠がなかった。
【００３４】
リニアに関わり１９７６年ロボット部品にリニア直動・回転動安全に基板回路新防犯器ロック動体験の利点知に無配線とコード劣化誤切断ショート火災危険体験を安全転換とモーターとギヤ問題が上記掲載の通り発生不利を有利にナノリニア錠製品の開花整合する特徴ある該ショップ２タッチと該電波情報照合ロックセキュリティシステムがなかった。
【００３５】
半導体超伝導駆動に希土類磁性シート類又はテープ類に加工する。リニアテーブルスライド両面に装着具備又はリニアテーブル動作を耐腐食性・耐溶剤性あり断電・海水中動作する、なお潤滑油不要でメンテナンス不要のベアリングを介してリニアテーブル駆動又は回転動のロック解錠：施錠する特徴ある該ショップ２タッチと該電波情報照合のナノリニア錠がなかった。
【００３６】
賃借主は該賃借相互の保障蓄積数値で生涯居住賃料無料又は賃料割引を国内・外国人安心住める、転居自由は精神的安心と先見実行は衣食住生活安心、生涯居住の賃貸保険該賃借相互口座に蓄積システム。該賃借相互の会員蓄積金外に投資蓄積は健全賃貸住宅の賃料収益転換繰返し該賃借相互口座に積蓄額相互扶助と仕組みが相互依存する構成なかった。
【００３７】
ＩＣタグ付ショップカード共有する領収書ショップカード所有者名称ＩＣタグ領収書受取者名称を転写発行する又は該読取端末を各職場パソコン変換する。又は端末機能該ショップ２タッチ・ＵＳＢ・ＳＤ類カードに領収書受取者名称書込み該レジスタのショップ数値領収書レシートに受取者の名称転写発行する、又はショップや取引店領収書名称入りを該ショップ２タッチ・ＵＳＢ・ＳＤ類カード該読取端末の情報、各職場パソコン変換する、自宅家計簿に応用する、領収書発行提供する該ショップ２タッチと該電波情報照合システムなかった。
【００３８】
在宅２４時間、年中開店ＩＰ無人店舗とＩＰ無人倉庫ショップは、四季の出かける準備ない、行き帰り交通渋滞も事故遭遇被害不安と心配なく平和安全が夢の幸せでショップ内容見て読選べる必要あった。各多種機能ショップカード格納はショップカード個人保管庫開閉・個別箱開閉該ショップ２タッチ操作セキュリティ。ショップカード残数値その他内容確認画像視聴器設置又は病気、事故において障害は、体形とサイズを該電波情報を介して無試着も合い生地素材と模様色彩類を選択加工する機構を該ショップ２タッチと該電波情報照合なかつた。
【００３９】
賃貸住宅の借主情報と関係者情報を該ショップ２タッチに生体認証ＩＣチップ登録又は生体複数認証ＩＣチップ登録を格納する、出入口ドア類又は家財開閉部位にロックを備える、このロックに上記借主と関係者情報登録格納を転出入は借主情報登録を削除する、ことで次の借主登録ができる、ナノリニア錠は取換不要と又は錠前の中枢ロック部材を載せたリニアテーブル駆動するベアリングは耐腐食性と耐溶剤性と断電性と海水飛散耐性あつて潤滑油不要とメンテナンス不要は半永久使用する、賃貸には絶対必要で厳密ある該ショップ２タッチと該電波情報照合を介してロック解錠：施錠駆動するセキュリティシステムがなかった。
【００４０】
ショップカード紛失ショップカード取引停止、再発行取引復活該ショップ２タッチ安全。各保管庫所有者個別出入記録。国内・外国対応は通貨換算交換端末ショップカード通貨換金と外国ショップカード当国の通貨換金ショップ機能、カード個別情報開示該ショップ２タッチ相互間を一致照合、相互不一致照合瞬時拒否。ショップカード紛失カード登録数値保管庫、該ショップ２タッチ取引停止、再発行年月日時分秒数値を国際標準印登録、地番数値登録を該ショップ２タッチと該電波情報照合するシステムがなかった。
【００４１】
非接触カード１枚に生体複数認証ＩＣチップアンテナ＋ショップとポイント点数数値ＩＣチップアンテナ＋該賃借相互の物件数値、賃料業務ＩＣチップアンテナを収納する機能。名称付領収書転写ＩＣタグ＋手続き申請届出その他記入箇所に個人/会社名称転写端末と各種券読取再生転写ＩＣタグ格納と該ショップ２タッチと該電波情報照合する機能がなかった。
【課題を解決するための手段】
【００４２】
課題を解決に、本発明は、ショップカード所有者正当性確認が認証該ショップ２タッチ相互間を一致照合、該ショップ２タッチ正当性確認行い日本標準電子印数値、登録地区名称と地番と氏名の生体画像認証を該ショップ２タッチと該電波情報照合する正常手段に実施する。
【００４３】
本発明は、ショップカードを認証は出入・入場・乗降通過。ショップ所有者不在や長期間留守は代理者ＩＣチップ登録又は賃貸主ＩＣチップ登録、賃貸管理者ＩＣチップ登録該ショップ２タッチ、ＩＣカード用いショップカード現金数値変換、又は該ショップ２タッチと該電波情報照合するシステムがある。
【００４４】
生体画像認証ＩＣチップ登録収納非接触する、該ショップ２タッチ電気錠・電磁錠・電子錠・ナノリニア錠駆動機能は高額品多く賃借物件に取付には貸主投資困難する、低額と利便性よいのは請求項８と請求項３９に記載の手段と方法を具備したナノリニア電子錠は海水飛散耐性あり船内・外と国内・外の世界中の海岸地帯に用いることができる、精度優れていて低価格と、モーターとギャ又は多種錠前手動の機能と比較すると精度は劣り高価格であって価格差離れる、又は微少引出し類駆動は、バイオメタルファイバーを介して１枚の該ショップ２タッチ数拾個のロック解錠：施錠駆動する半導体超伝導に希土類磁性シート類又はテープ類に加工する。リニアテーブルスライド動又は回転動両面に装着を具備してロック駆動する。リニアテーブル上にロック載せてベアリングを介してロック駆動を該ショップ２タッチと該電波情報照合を特徴あるセキュリティシステム。
【００４５】
本発明に係わる生体画像認証情報と所有者情報記憶該ショップ２タッチ認証装置、該ショップ２タッチ生体画像認証情報読取認証情報、記録情報読出、生体画像認証情報にする、認証該ショップ２タッチと該電波情報照合行う認証システムにする。
【００４６】
多種ポイント点数値該ショップ２タッチ該読取端末と残数値減はチャージする、職場又は家庭パソコン変換、レシート領収書転記作業激減と各用紙資料保存なくパソコン記入・削除・移動・グラフ表工夫多彩する又はポイント商店街運営する該ショップ２タッチと該電波情報照合に関する。
【００４７】
本発明は現金数値該読取端末、該ショップ２タッチ顔画像転写、生体画像認証情報蓄積額該読取端末、生体画像認証相互間を一致照合と該レジ端末と該券売端末、該ショップ２タッチ残金額読取と借用残金不足前にＡＴＭ取扱金融又は該券売端末から該読取端末え落し該券売端末に現金蓄積該ショップ２タッチと該電波情報照合と買物限度額視機能選択さす手段を実施する。
【００４８】
本発明に係わる転居費用・賃借辛苦なく自由は精神的安定と即対応する先見実行手段は衣食住生活安心、住まい生涯補償ない課題は該賃借相互と該ショップ２タッチ生涯居住の賃貸保険安心システム。社会年金・国民年金減額続く介護保険制度発足、増額出費続き老後の旅行、趣味娯楽に影響ある数重苦なく該賃借相互の会員投資蓄積は健全賃貸住宅で賃料収益転換繰返し回転事業、該賃借相互口座に積蓄額相互扶助と相互依存の非営利事業精神する該ショップ２タッチと該電波情報照合する特徴を実施する。
【００４９】
本発明は社会夜型になり夜遅く、深夜営業する業務増加と共に、粗暴犯罪も増加する、犯罪者ださない、被害受けないことは出入口に該ショップ２タッチ非接触リーダーライタ設置開閉止とショップ精算する取引も同様会計あと通過の安全な深夜営業セキュリティ利用帰客と逃げ不正は、即関係に送信、残額差引と全利用停止する、再発行とき謝礼額＋被害額の３倍額差引き解決あと再発行する。拒否は国内/外国利用拒否と新規含み再発行不能処分。3回目以上の再発行は、被害額数倍加算科料解決する、実刑出所犯烙印社会厚生困難減に関係者合理を該ショップ２タッチと該電波情報照合する手段ある特徴を実施する。
【００５０】
本発明に係わるセキュリティシステムをＩＰパソコン通信端末装置とＩＰ電話通信端末共有該ショップ２タッチ操作する、セキュリティ情報認証該ショップ２タッチと該電波情報照合を識別と確認端末を実施する。
【００５１】
該ショップ２タッチ目的達成に、本発明は、ショップカード該レジ端末操作によってショップ数値に対して、ポイント点数値をショップカードに加算入力する該読取端末、ＩＣカードを用いるため、ショップカード所有者に提供するＩＣカード端末になるシステムにおける該ショップ２タッチと該電波情報照合は生体画像認証一致とき該読取端末実施する。
【００５２】
本発明は、ＩＣカード端末取得情報蓄積する、情報を蓄積該読取端末設け、該ショップ２タッチ蓄積、諸情報蓄積残額該読取差引書換を該ショップ２タッチと該電波情報照合を実施する。
【００５３】
前記現金を数値に変換する端末装置、ショップＩＣカード数値該ショップ２タッチ入力蓄積を該読取端末用いた該ショップ２タッチＩＣカード端末システム生体画像認証ＩＣチップ入り該ショップ２タッチと該電波情報照合を実行を実施する。
【００５４】
本発明は、該ショップ２タッチの認証相互間を一致照合と外国通貨をレート換算と該読取端末データはＩＣチップ蓄積する、ＩＣカード端末該ショップ２タッチ生体認証は認証該電波情報照合する構成を実施する。                    
【００５５】
前記の課題を解決に本発明は、端末装置と個人識別装置間該ショップ２タッチ相互間を一致認証、個人識別システム端末装置、生体画像認証特徴データ入力手段と、記憶再生手段から取出生体画像認証特徴データ照合する該ショップ２タッチと該電波情報照合と処理手段を備える構成を実施する。
【００５６】
本発明に係わる該ショップ２タッチ生体画像認証照合、該券売端末と該レジ端末と該ショップ２タッチ認証相互間を一致の照合する、該ショップ２タッチ生体認証登録該券売端末と該レジ端末と該ショップ２タッチ該読取端末差引残額蓄積記録再生情報する、ショップ額ポイント点数値を加算書換は該ショップ２タッチと該電波情報照合の手段を実施する。
【００５７】
本発明は、該ショップ２タッチ生体画像認証組み合わせの生体画像認証情報登録データ、代理人賃貸主又は管理者該ショップ２タッチ生体認証登録代理人該ショップ２タッチ生体認証相互間を一致の照合、代理人と賃貸主又は賃貸管理者該ショップ２タッチ個別共有実行を該ショップ２タッチと該電波情報照合する特徴あるシステム。      
【００５８】
ＩＣチップ付ショップカード共有する領収書該ショップ２タッチ名称端末又は会社名称入端末領収書に転写発行機能を該ショップ２タッチ・ＵＳＢ・ＳＤ類カード・携帯電話機端末、該レジ端末領収書レシートに名称転写発行、発行店独自の暗証認証を領収書転写偽領収書利用防止、該ショップ２タッチ該読取端末を各職場パソコン変換、自宅家計簿に変換、領収書受取者名称発行可能に該ショップ２タッチと該電波情報照合する手段を実施する。
【００５９】
該レジ端末と該ショップ２タッチで買物精算該読取書換、領収書受取者の名称を生体認証相互間を一致照合転写発行、他人領収書受取者は転写拒否する該ショップ２タッチと該電波情報照合する構成を実施する。
【００６０】
ショップカード利用用途に該ショップ２タッチＩＰパソコン・ＩＰ固定電話・ＩＰ携帯電話で店舗内又は倉庫内ショップと無人立体自動倉庫内ショップを在宅パソコン・固定電話・携帯電話、在宅鑑賞・観賞・見学できる、又は国内・外の障害者に体形サイズと模様色彩確認で加工は本人喜ばれる人間性ある気分転換と家族、知友人達に喜ばれる請求項３２に記載の手段と方法を具備する特徴を有した社会に該ショップ２タッチと該電波情報照合を実施する。
【００６１】
本発明は、賃借主・貸主・会社契約その他個人プライバシー情報源行政など戸籍謄本、土地建物登記謄本、会社登記謄本、個人経歴。プライバシー、スキャンダルの諸情報事業を全国網収集団結集団組織は北海道寒村個人情報を九州個人情報依頼数分で送信、恐怖不幸迷惑被害化する、情報漏洩の数拾倍情報源ある組織は個人プライバシー公開は数枚を隠れて販売阻止に該ショップ２タッチセキュリティと高齢夫婦又は高齢単身宅において近親者不在は、印鑑証明の改印が通帳、住民票、土地建物登記謄本を改印又は土地建物登記を数拾年間名義変更確認なしも該ショップ２タッチと該電波情報照合する特徴を実施する。
【００６２】
各多種機能を該ショップ２タッチ収納は重要ＩＣタグ個人保管庫開閉・個別箱開閉を該ショップ２タッチ操作セキュリティ。ショップカード所有者残数値内容確認画像視聴器設置システムを実施する。
【００６３】
各保管庫所有者個別出入内容ＩＣタグ記録。多人数集合住宅・少人数集合住宅に賃借主ショップカード鍵該２タッチ開閉。国内・外国対応は通貨換算交換端末ショップカード通貨換金と外国ショップカード当国通貨換金ショップ機能、カード個別情報開示ショップ２タッチ相互間を一致照合、相互不一致照合瞬時拒否。ショップカード紛失カード登録数値保管庫、該ショップ２タッチ取引停止、再発行年月日時分秒数値を日本標準印転写登録と地番数値登録する特徴を有している。
【００６４】
非接触カード配列ショップ、該レジ端末非接触カード置く位置の下はリーダライタ窪み施し非接触カード固定、該ショップ２タッチ接触置く位置下のリーダライタと交信、生体複合ＩＣチップアンテナ位置カード上部中央位置交信で認証相互間を一致照合。ショップ数値とポイント点数値ＩＣチップアンテナ位置、中間左側中間交信の該読取端末は残数値を実施する。該賃借会ＩＣチップアンテナ位置、中間右側交信で、会員蓄積数値、賃貸契約書、会物件取引と設備経費を実施する。病歴ＩＣチップアンテナ位置、中間下位置交信でレントゲン画像視知動システム。名称付領収書ＩＣタグ位置はカード４分の１上の右側該ショップ２タッチ・ＵＳＢ・ＳＤ類カード、携帯電話機に名称付領収書発行にＩＣタグ配置をカード４分の１上の右側を交信位置、転写を実施する。乗車券・入場券・招待券その他の内容を該ショップ２タッチ、ＵＳＢ、ＳＤ類カード、携帯電話機に該読取端末にＩＣタグ配置をカード４分の３下左側位置に交信設け確認又は転写を実施する。
【図面の簡単な説明】
【００６５】
【図１】ショップカードＡ
【図２】ショップカードＢ
【図３】ショップカード端末
【図４】該券売機端末
【図５】該レジ端末
【符号の説明】
【００６６】
１  ショップカードＡ                     ２    ショップカードＢ
３  個人生体認証ＩＣチップ               ４    複数生体認証ＩＣチップ  
５  個人記録認証ＩＣチップ               ６  ショップ残数記録ＩＣチップ
７  該賃借相互ＩＣチップ                
８  外国ショップ残数記録ＩＣチップ         ９  外国該賃借相互ＩＣチップ
１０  病歴データとレントゲン画像ＩＣチップ  
１１  ＣＴ・ＭＲＩ・ＭＲＡ画像ＩＣチップ
１２  ＭＲＡ・ＭＲＩ・ＩＤＬ・ＣＴ合成画像ＩＣチップ
１３  ショップカード保管庫  
１４  個人ショップカード保管庫              １５  リーダライタ  
１６  ショップカード接触面位                １７  ショップカード挿入口  
１８  不一致          １９  不正        ２０  再度              ２１  正常  
２２  組込みシステム                    
２３  ショップカードＡ                      ２４  ショップカードＢ  
２５  該ショップ２タッチ認証相互間を一致照合端末
２６  他人不正                              ２７  ２タッチ目を動作端末
２８  ショップカード端末                    ２９  該券売端末  
３０  現金投函                              ３１  余剰数値該読取端末  
３２  現金真偽検知端末                      ３３  真偽不正    
３４  現金数値変換端末                      ３５  現金蓄積残数値端末
３６  余剰現金残数値端末                    ３７  新規入会ボタン
３８  現金払口                              ３９  現金返還
４０  現金保管金庫                          ４１  乗車券と入場券と招待券端末
４２  取消戻し端末                          ４３  保管箱
４４  保管金庫                              ４５  ショップカード視聴器
４６  該賃借相互口座残数値端末              ４７  該賃借相互蓄積購入端末
４８  ポイント点数値端末                    ４９  該ショップ２タッチ借用端末
５０  商店街運営端末                      
５１  他業種ポイントカードＩＣタグ端末      ５２  一日精算該レジ端末
５３  緊急・震災情報掲示板                  ５４  商店街行事案内板  
５５  宣伝掲示板                            ５６  有機ＥＬシート板  
５７  シート                                ５８  該レジ端末
５９  カード保管庫                          ６０  該レジ端末と該読取端末
６１  ショップ店売上数値端末
６２  ＩＰパソコンとＩＰ電話と携帯電話端末
６３  該ショップ２タッチ国内通信端末      
６４  ＩＰ店舗とＩＰ倉庫内パネル端末
６５  在宅パソコンと固定電話と携帯電話パネル端末
６６  配達                                  ６７  申込受取
６８  レシート領収書ＵＳＢとＳＤ類カードと携帯電話機端末
６９  領収書受取者名称転写発行は該ショップ２タッチとＵＳＢとＳＤ類カードと携帯電話機ＩＣタグ
７０  パネルタッチショップ店舗
７１  賃借主と貸主２タッチ端末              ７２  該賃借相互端末
７３  外国該賃借相互住宅購入と建設端末
７４  書籍・新聞端末                        ７５  世界各国語会話端末  
７６  世界各国別端末                        ７７  該賃借相互を脱会端末
７８  ショップ数値確認                      ７９  出入口と開閉止端末
８０  電子錠とリニア錠端末                  ８１  メモリカード差込口  
８２  カード差込口
【図１】
2007128488.tif 000003
【図２】
2007128488.tif 000004
【図３】
2007128488.tif 000005
【図４】
2007128488.tif 000006
【図５】
2007128488.tif 000007